(57)【特許請求の範囲】
【請求項１】
第１及び第２の貫通孔を有した水栓設置板の該第１の貫通孔に対し湯管と水管の一方が挿通され、該第２の貫通孔に湯管と水管の他方が挿通され、該湯管及び水管が連なった水栓が該水栓設置板の表側に配置され該水栓設置板に固定されている２ホール型の水栓取付構造において、
該水栓設置板の表側に配置されており、該第１の貫通孔に重なる位置に第１のボルト挿通孔を有し第２の貫通孔に重なる位置に第２のボルト挿通孔を有している台座と、
第１のボルト挿通孔から第１の貫通孔を通って水栓設置板の裏側に挿通された第１のボルトと、第２のボルト挿通孔から第２の貫通孔を通って水栓設置板の裏側に挿通された第２のボルトと、
該水栓設置板の裏側に配置されており、両側に各ボルトが螺合している取付片と、
を備えており、該ボルトを回して取付片を水栓設置板の裏側に押し付けることにより該台座が水栓設置板に固定されており、
この台座に対し前記水栓が固定されている２ホール型の水栓取付構造であって、
前記取付片は前記貫通孔を通過可能な大きさであることを特徴とする２ホール型の水栓取付構造。
【請求項２】
請求項１において、前記取付片は最初は第１のボルトの先端側にのみ螺合しており、この状態で該取付片が第１の貫通孔に通され、次いで該取付片に第２のボルトが螺合され、該ボルトを回すことにより該取付片が水栓設置板の裏側に押し付けられて前記台座が水栓設置板に固定されていることを特徴とする２ホール型の水栓取付構造。
【請求項３】
請求項２において、前記取付片には第２のボルトの先端と当接して該第２のボルトの位置決めを行うための位置決め部材が設けられており、前記第１のボルトを回すと取付片が該第１のボルトを中心として旋回し該位置決め部材と第２のボルトとが当接することを特徴とする２ホール型の水栓取付構造。
【請求項４】
請求項３において、前記位置決め部材は前記第２のボルトの先端を保持可能な弾性部を備えていることを特徴とする２ホール型の水栓取付構造。
【請求項５】
請求項３又は４において、前記第２のボルトは第１のボルトよりも短いことを特徴とする２ホール型の水栓取付構造。
【請求項６】
請求項１において、前記水栓設置板は略水平に設けられており、前記取付片は最初は一端側が前記台座に吊り下げられており、この状態で該取付片が一方の貫通孔に通され、次いで第１のボルト挿通孔に第１のボルトを通し該第１のボルトの先端で該取付片の一端側の吊支部分よりも先端側を押圧することにより取付片が略水平姿勢をとるように上方に回動し、該取付片の他端側が第２のボルトと螺合可能となることを特徴とする２ホール型の水栓取付構造。
【請求項７】
請求項６において、前記取付片の前記一端側には前記第１のボルトの下端をガイドするガイド部が設けられていることを特徴とする２ホール型の水栓取付構造。
【請求項８】
請求項６又は７において、前記取付片の前記他端側が上方に回動して略水平姿勢となったときに該他端側を保持する保持手段を備えていることを特徴とする２ホール型の水栓取付構造。
【請求項９】
請求項８において、前記保持手段は前記台座から吊り下げられていることを特徴とする２ホール型の水栓取付構造。
【請求項１０】
請求項８又は９において、前記保持手段は磁力によって前記取付片を保持するものであることを特徴とする２ホール型の水栓取付構造。
【請求項１１】
請求項１ないし１０のいずれか１項において、前記取付片には前記第２のボルトの先端を受け入れるためのテーパ部が設けられていることを特徴とする２ホール型の水栓取付構造。
【発明の詳細な説明】
【０００１】
【発明の属する技術分野】
本発明は洗面カウンターや洗面器の鉢の周縁部、浴室デッキ上面など水栓を取り付けるべき水栓設置板に対し水栓を取り付けた構造に関するものであり、詳しくは水栓設置板に湯管用及び水管用の２個の孔を設けて水栓を設置した２ホール型の水栓取付構造に関する。
【０００２】
【従来の技術】
洗面カウンターに２ホール型の水栓を取り付ける場合、水栓の湯用脚管及び水用脚管にそれぞれ雄ねじを刻設しておき、各脚管をそれぞれカウンターに設けられた貫通孔に通す。そして、カウンターの下側からパッキンを嵌め、ナットを締め込むことにより水栓をカウンターに固定する。
【０００３】
このようなナット締めをカウンターの下側から行うことは作業姿勢が苦しく、作業効率が悪い。また、流しの裏側のごく狭いスペースでナット締めするために専用の工具が必要であるなどの不便があった。
【０００４】
このような短所を解決するものとして、実開平５−３０２６１号公報にはカウンターの上方側からの作業だけで２ホール型水栓をカウンターに固定する構造が記載されている。図９は同号公報記載の構造を示す断面図であり、カウンター１の水栓取付孔２に上方から略筒形のアダプタ３が挿入され、水栓４の雄ねじ管５が該アダプタ３に挿入されている。
【０００５】
このアダプタ３の上部のフランジ３ａがカウンターの上向に密着している。アダプタ３の下部は、複数枚の舌片状の取付片３ｂよりなり、この取付片３ｂはく字形状に折曲している。取付片３ｂを水栓取付孔２に挿入するときには、該取付片３ｂが縮径変形して該孔２を通り抜ける。このアダプタ３に雄ねじ管５を挿入すると、取付片３ｂの下端が雄ねじ管５の外周面の雄ねじに噛合し、雄ねじ管５の上方への抜け出しが阻止される。また、く字形の取付片３ｂが水栓取付孔２の下側の縁部に係合することによりアダプタ３の上方への抜け出しも阻止される。
【０００６】
【発明が解決しようとする課題】
上記図９に示す従来構造にあっては、取付片３ｂの下端が雄ねじ管５の雄ねじに食い込むことにより水栓４の上方への抜け出しが阻止されているのであるが、取付片３ｂの下端と雄ねじとの噛み合いが甘いため、水栓４を上方に強く引くと、取付片３ｂが雄ねじ管５の周面を滑り、水栓４が上方に抜け出てしまうという問題がある。
【０００７】
本発明は、このような問題点を解決し、２ホール型の水栓をカウンター等の表側からの作業だけで堅固に固定することができる２ホール型の水栓取付構造を提供することを目的とする。
【０００８】
【課題を解決するための手段】
本発明の２ホール型の水栓取付構造は、第１及び第２の貫通孔を有した水栓設置板の該第１の貫通孔に対し湯管と水管の一方が挿通され、該第２の貫通孔に湯管と水管の他方が挿通され、該湯管及び水管が連なった水栓が該水栓設置板の表側に配置され該水栓設置板に固定されている２ホール型の水栓取付構造において、該水栓設置板の表側に配置されており、該第１の貫通孔に重なる位置に第１のボルト挿通孔を有し第２の貫通孔に重なる位置に第２のボルト挿通孔を有している台座と、第１のボルト挿通孔から第１の貫通孔を通って水栓設置板の裏側に挿通された第１のボルトと、第２のボルト挿通孔から第２の貫通孔を通って水栓設置板の裏側に挿通された第２のボルトと、該水栓設置板の裏側に配置されており、両側に各ボルトが螺合している取付片と、を備えており、該ボルトを回して取付片を水栓設置板の裏側に押し付けることにより該台座が水栓設置板に固定されており、この台座に対し前記水栓が固定されている２ホール型の水栓取付構造であって、前記取付片は前記貫通孔を通過可能な大きさであることを特徴とするものである。
【０００９】
かかる２ホール型の水栓取付構造にあっては、例えば取付片を第１のボルトの先端側にのみ螺着しておいて第１の貫通孔に通し、次いで取付片に第２のボルトを係合させ、各ボルトを回すことにより台座を水栓設置板に固定することができる。
【００１０】
この場合、取付片に第２のボルトの先端に当接する位置決め部材を設けておくのが好ましい。この位置決め部材には、第２のボルトの先端を弾性的に挟持して保持するバネ片などの弾性部を設けておくのが好ましい。また、第２のボルトの長さを第１のボルトの長さよりも短くしておくと、第１のボルトを回してこれと共に取付片が旋回してきたときに該取付片の位置決め部材と第２のボルトの先端とが係合するようになる。
【００１１】
また、本発明において水栓設置板が略水平である場合、取付片を台座から吊り下げておいて第１の貫通孔から水栓設置板の下側に入り込ませ、次いで第１のボルト挿通孔から第１のボルトを差し込み、取付片を該第１のボルトの先端で押して略水平姿勢とし、この取付片に第１のボルトを螺合可能となるようにすることもできる。
【００１２】
この場合、取付片の一端近傍を吊支するのが好ましく、この吊支部分近傍の先端を第１のボルトによって下方に押し下げることにより取付片の他端側が上方に回動し、取付片が略水平姿勢となる。この第１のボルトの下端が取付片から外れないようにするためのガイド部を取付片に設けておけば、取付片をスムーズに回動させることができる。
【００１３】
また、略水平となった取付片の他端側を磁石などによって保持しておくと、該他端側に対し第２のボルトを螺合させ易い。この磁石などの保持部材は台座から吊り下げられていることが好ましい。
【００１４】
本発明では、取付片に第２のボルトを受け入れるためのテーパ部を設けておくことにより、第２のボルトを容易に螺合させることが可能となる。
【００１５】
【発明の実施の形態】
以下図面を参照して本発明の実施の形態について説明する。図１〜５は本発明の第１の実施の形態に係る水栓取付構造を示すものであり、図１〜４は取付手順を示す斜視図、図５は水栓の分解斜視図である。
【００１６】
貫通孔１０，１２を有するカウンター１４に対し、図１の如く台座１８、第１のボルト３４及び取付片３８の連結体が装着される。この台座１８は、第１の脚管挿通孔２０と第２の脚管挿通孔２２とを両端側に備えた略々楕円形状のものであり、第１の脚管挿通孔２０の近傍に第１のボルト挿通孔２４が貫通設置され、第２の脚管挿通孔２２の近傍に第２のボルト挿通孔２６が貫通設置されている。この台座１８の下端部分にはフランジ２８が設けられ、また台座１８の外周面にはシールリング３０が設けられている。更に、この台座１８の中央正面側には雌ネジ孔よりなるビス孔３２が設けられている。
【００１７】
第１のボルト挿通孔２４に対し第１のボルト３４が挿通され、この第１のボルト３４の先端側に取付片３８の第１の雌ネジ孔４０が螺着されている。この取付片３８は、略長方形の板状のものであり、一端側に該第１の雌ネジ孔４０が設けられ、他端側に第２の雌ネジ孔４２が設けられている。この第２の雌ネジ孔４２の上部周縁側を囲むように、略Ｃ形状の位置決め部材４４が設けられている。この位置決め部材４４は、第２のボルト３６が嵌合するものであり、入口側が弾性的に拡縮するバネ片よりなる。取付片３８の上面には、カウンター１４の下面に密着するパッキン４６が取り付けられている。
【００１８】
取付片３８は、図１の如く第１のボルト３４の先端側に螺着され、この取付片３８が貫通孔１０に対し上方から差し込まれる（矢印▲１▼参照）。
【００１９】
次に、このように取付片３８がカウンター１４の下側に差し込まれた後、図１の矢印▲２▼のように台座１８を１８０°回す。次いで、図２のように第２のボルト挿通孔２６に対し第２のボルト３６を上方から差し込む。
【００２０】
そうすると、この第２のボルト３６は第２の貫通孔１２を通ってカウンター１４の下側に突出する。この第２のボルト３６は前記第１のボルト３４よりも長さが短く、図２の状態においてボルト３６の下端面が取付片３８の上面よりもごく僅かだけ上方に位置するようになっている。
【００２１】
ボルト３６を挿通孔２６に通した後、第１のボルト３４をドライバＤによって矢印▲４▼方向に回す。そうすると、取付片３８が第１のボルト３４を旋回中心として旋回し、図２の如く位置決め部材４４が第２のボルト３６の下端に当接する。そして、この位置決め部材４４内に第２のボルト３６の下端が嵌合する。そこで、次に、第２のボルト３６もドライバＤによって図３の如く矢印▲４▼方向に回す。なお、ボルト３４，３６は同時に等しい速度で回転しても良く、一方のボルトのみを先に回し、その後他方のボルトを回すようにしても良い。
【００２２】
ボルト３４，３６を回すことにより取付片３８がカウンター１４の下面に当接する。その後ボルト３４，３６をスパナ等の工具によってきつく締め込み、これによりカウンター１４を台座１８と取付片３８とによって強く挟持し、台座１８をカウンター１４に堅固に固定する。
【００２３】
そこで、次に、図４に示すように水栓５０をこの台座１８に上方から嵌合させて取り付ける。この場合、水栓５０の湯用脚管５２と水用脚管５４がそれぞれ脚管挿通孔２０，２２に上方から挿通され、水栓５０が台座１８の外周に嵌合する。そして、ビス５６を水栓５０のスルーホール５８に通して台座１８のビス孔３２にねじ込み、これによって水栓５０が台座１８に固定される。６０は吐水口、６２はハンドルを示す。
【００２４】
図５に示すように、この水栓５０は、鋳物よりなるボディー６４と、このボディー６４に上方から被さるカバー６６と、ボディー６４上に設置されるミキシングバルブユニット６８と、該ミキシングバルブユニット６８の操作片６８ａに結合される前記ハンドル６２と、該ユニット６８を囲むキャップ７０とを備えている。なお、ボディー６４の吐水管部の下側にはアンダーカバー７２が装着される。カバー６６は、ボディー６４の下側からビス７４をスルーホール７６を介してビス孔７７にねじ込むことにより、ボディー６４に固定される。
【００２５】
このように、この実施の形態によると、カウンター１４の上方側からの作業だけによって台座１８をカウンター１４に固定し、この台座１８に対し水栓５０を取り付けることが可能である。この台座１８は、２本のボルト３４，３６と取付片３８とによって堅固にカウンター１４に固定されており、水栓５０の取付強度も極めて高い。
【００２６】
図６〜８は本発明の第２の実施の形態を示すものであり、台座をカウンター１４に取り付ける手順を示す斜視図である。
【００２７】
この実施の形態に用いられる台座７８は、第１の脚管挿通孔８０と第２の脚管挿通孔８２を備えており、これらの脚管挿通孔８０，８２の近傍にそれぞれ第１のボルト挿通孔２４と第２のボルト挿通孔２６とが設けられている。これらのボルト挿通孔２４，２６にそれぞれボルト３４，３６が挿通される。
【００２８】
この台座７８も、図示の通り略楕円形状のものであり、その両端側に該脚管挿通孔８０，８２が配置されている。
【００２９】
第１のボルト挿通孔２４の近傍であって、該挿通孔２４よりも台座７８の長手方向中央側の部分からは吊テープ８６が吊り下げられており、この吊テープ８６の下端に取付片８８が取り付けられている。この取付片８８は、第１の雌ネジ孔４０及び第２の雌ネジ孔４２を両端側に備えた略長方形の板状のものであり、その上側面にはパッキン４６が設けられている。この取付片８８の第１の雌ネジ孔４０を設けた一端側にあっては、取付片８８の端部が約４５°の角度で反り返った反り返り部９０となっている。また、この反り返り部９０から第１の雌ネジ孔４０の周囲にかけて略Ｕ字形状のガイド壁部９２が設けられている。このガイド壁部９２は、反り返り部９０の端縁に接近するほどガイド壁部９２，９２間の間隔が広がる先広がり形状のものとなっている。この反り返り部９０とガイド壁部９２とによって、第１のボルト３４の下端を案内するガイド部９４が設けられている。
【００３０】
台座７８の第２のボルト挿通孔２６の近傍からは保持用テープ９６が吊り下げられており、この保持用テープ９６の下端に磁石９８が取り付けられている。取付片８８は、この実施の形態にあっては鉄など磁石と吸着する材質のものよりなる。
【００３１】
台座７８をカウンター１４（図６〜８では図示略）に対し固定するには、図６の如く、取付片８８が吊テープ８６によってのみ吊り下げられた垂下姿勢としておく。この垂下姿勢にある取付片８８を、カウンター１４の第１の貫通孔１０からカウンター１４の下側に通し、次いで第１のボルト挿通孔２４に第１のボルト３４を上方から落し込む。このボルト３４の下端はガイド部９４によって案内され、取付片８８の上端側を下方に押圧する。そうすると、図６，７の矢印Ａに示すように、取付片８８の下端側が上方に向って回動し、やがて取付片８８の他端側が磁石９８に吸着保持される。
【００３２】
この状態にあっては、第２のボルト３６の下端が第２の雌ネジ孔４２に係合した状態となる。また、第１のボルト３４の下端は第１の雌ネジ孔４０に係合した状態となる。そこで、ボルト３４，３６を回して雌ネジ孔４０，４２に螺合させ、図８の如く取付片８８を上方に移動させてカウンター１４の下面に当接させる。
【００３３】
その後、スパナ等の工具によってボルト３４，３６の増し締めを行い、取付片８８と台座７８とによってカウンター１４を強固に挟持し、これによって台座７８を固定する。なお、図８の如く、取付片８８を上方に螺進させる際には、保持用テープ９６は徐々に湾曲する。また、吊テープ８６は、取付片８８のスリット８８ａを通り抜ける。
【００３４】
台座７８をカウンター１４に固定した後、この台座７８に対し前記実施の形態と同様にして水栓５０を固定する。
【００３５】
この図６〜８の実施の形態にあっても、カウンター１４の上方側からの作業のみによって水栓５０をカウンター１４に堅固に固定することが可能である。
【００３６】
なお、図７に明瞭に示される通り、取付片８８の第２の雌ネジ孔４２の上部周縁は、上方に向って拡大するテーパ形状となっているため、取付片８８が上方に向って矢印Ａの如く回動してきた場合、ボルト３６の下端が第２の雌ネジ孔４２にスムーズに係合するようになる。
【００３７】
なお、このようなテーパは前記第１の実施の形態においても取付片３８に形成しても良い。
【００３８】
上記実施の形態はいずれもカウンターに対し水栓を固定するものであるが、本発明はカウンター以外の水栓設置板に対し水栓を取り付ける場合に採用できる。
【００３９】
【発明の効果】
以上の通り、本発明によると水栓設置板の表側からの作業のみによって水栓を水栓設置板に対し極めて堅固に固定することが可能となる。
【図面の簡単な説明】
【図１】実施の形態に係る水栓取付構造とするための取付手順を示す斜視図である。
【図２】実施の形態に係る水栓取付構造とするための取付手順を示す斜視図である。
【図３】実施の形態に係る水栓取付構造とするための取付手順を示す斜視図である。
【図４】実施の形態に係る水栓取付構造とするための取付手順を示す斜視図である。
【図５】水栓の分解斜視図である。
【図６】別の実施の形態に係る水栓取付構造とするための取付手順を示す斜視図である。
【図７】別の実施の形態に係る水栓取付構造とするための取付手順を示す斜視図である。
【図８】別の実施の形態に係る水栓取付構造とするための取付手順を示す斜視図である。
【図９】従来例を示す断面図である。
【符号の説明】
１０，１２  貫通孔
１４  カウンター
１８  台座
２０，２２  脚管挿通孔
２４，２６  ボルト挿通孔
３４，３６  ボルト
３８  取付片
４０，４２  雌ネジ孔
５０  水栓
７８  台座
８０，８２  脚管挿通孔
８６  吊テープ
８８  取付片
９０  反り返り部
９２  ガイド壁部
９４  ガイド部
９６  保持用テープ
９８  磁石
【図１】
0003661391.tif 000002
【図２】
0003661391.tif 000003
【図３】
0003661391.tif 000004
【図４】
0003661391.tif 000005
【図５】
0003661391.tif 000006
【図６】
0003661391.tif 000007
【図７】
0003661391.tif 000008
【図８】
0003661391.tif 000009
【図９】
0003661391.tif 000010